(57)【要約】      （修正有）【課題】インピーダンスの等しい充電経路と放電経路とを有する電池並列デバイスを提供する。【解決手段】電池並列デバイス１０の第１並列装置１１は、複数の第１電池のそれぞれが正電極と負電極とを含む複数の第１電池ユニット１１１と、第１電池の正電極に電気的に接続された第１正コネクタ１１２と、第１電池の負電極に電気的に接続された第１負コネクタ１１３と、第１正コネクタの端末に形成された第１正電極コネクタ１１４と、第１正電極コネクタと第１電池の正電極の各々との間にそれぞれ形成された複数の第１電流経路と、第１負コネクタの端末に形成された第１負電極コネクタ１１５と、第１負電極コネクタと第１電池の負電極の各々との間にそれぞれ形成された複数の第２電流経路と、を含む。第１電池の各々の合計経路長は、第１電流経路の長さと第２電流経路の長さとの合計であり、かつ、いずれの第１電池の合計経路長も等しい。【選択図】図１
2018078782.tif 000002
【特許請求の範囲】
【請求項１】
インピーダンスの等しい充電経路と放電経路とを有する電池並列デバイスであって、
１以上の第１並列装置であって、
各々が複数の第１電池を有する複数の第１電池ユニットであって、前記複数の第１電池のそれぞれが正電極と負電極とを含む、複数の第１電池ユニットと、
前記第１電池ユニットの前記第１電池の前記正電極に電気的に接続された第１正コネクタと、
前記第１電池ユニットの前記第１電池の前記負電極に電気的に接続された第１負コネクタと、
前記第１正コネクタの端末に形成された第１正電極コネクタと、
前記第１正電極コネクタと前記第１電池の前記正電極の各々との間にそれぞれ形成された複数の第１電流経路と、
前記第１負コネクタの端末に形成された第１負電極コネクタと、
前記第１負電極コネクタと前記第１電池の前記負電極の各々との間にそれぞれ形成された複数の第２電流経路と、を含む第１並列装置を含み、
前記第１電池の各々の合計経路長は、同じ第１電池に対応する前記第１電流経路の長さと前記第２電流経路の長さとの合計であり、かついずれの前記第１電池の前記合計経路長も等しいことを特徴とする電池並列デバイス。
【請求項２】
前記第１電流経路の各々の長さが、前記第１負電極コネクタと前記第１電池の各々との間の距離であり、前記第１電池はそれぞれ異なる前記第１電流経路に対応し、
前記第２電流経路の各々の長さが、前記第１正電極コネクタと前記第１電池の各々との間の距離であり、前記第１電池はそれぞれ異なる前記第２電流経路に対応することを特徴とする請求項１に記載の電池並列デバイス。
【請求項３】
前記１以上の第１並列装置の前記第１電池ユニットの前記第１電池は第１円筒形電池であり、前記第１円筒形電池は第１方向に沿って設けられ、
前記第１円筒形電池の前記正電極は同一方向を向き、前記第１電池ユニットは互いに分離され、
前記第１正コネクタは、
接続部と、
互いに分離され前記第１方向に沿って設けられた複数の櫛形部であって、前記第１方向を向いている前記櫛形部の端末が前記接続部と接続され、前記櫛形部は一の前記第１電池ユニットの前記第１円筒形電池の前記正電極にそれぞれ電気的に接続される、櫛形部と、を含み、
前記第１負コネクタは、
接続部と、
互いに分離され前記第１方向に沿って設けられた複数の櫛形部であって、前記第１方向とは逆方向を向いている前記第１負コネクタの前記櫛形部の端末が前記第１負コネクタの前記接続部と接続され、前記第１負コネクタの前記櫛形部は一の前記第１電池ユニットの前記第１円筒形電池の前記負電極にそれぞれ電気的に接続される、櫛形部と、を含み、
前記第１正電極コネクタは前記第１正コネクタの前記接続部に形成され、
前記第１負電極コネクタは前記第１負コネクタの前記接続部に形成されることを特徴とする請求項１に記載の電池並列デバイス。
【請求項４】
前記１以上の第１並列装置の一の前記第１電池ユニットの前記第１円筒形電池は、２つの列を形成するように設けられ、前記２つの列の前記第１円筒形電池は互い違いに配置され、
前記第１正コネクタの前記櫛形部の各々は矩形のシートであり、前記第１正コネクタの前記櫛形部の各々は複数の溶接部を含み、
前記第１正コネクタの一の前記櫛形部の前記溶接部は、前記第１正コネクタの前記１つの櫛形部の両側に設けられ、前記第１正コネクタの前記溶接部は、一の前記第１電池ユニットの前記第１円筒形電池の前記正電極にそれぞれ溶接され、
前記第１正コネクタの前記櫛形部は、細長い孔をそれぞれ含み、
前記細長い孔は、前記第１正コネクタの前記櫛形部の中央にそれぞれ形成され、かつ前記第１方向に沿ってそれぞれ形成されて、前記第１正コネクタの前記櫛形部を、前記溶接部が互いに対向して設けられている２つの側に向けて分離させ、
前記第１負コネクタの前記櫛形部の各々は矩形のシートであり、前記第１負コネクタの前記櫛形部の各々は複数の溶接部を含み、
前記第１負コネクタの一の前記櫛形部の前記溶接部の各々は、前記第１負コネクタの前記１つの櫛形部の両側に設けられ、前記第１負コネクタの前記溶接部は、一の前記第１電池ユニットの前記第１円筒形電池の前記正電極にそれぞれ溶接され、
前記第１負コネクタの前記櫛形部は、細長い孔をそれぞれ含み、
前記細長い孔は、前記第１負コネクタの前記櫛形部の中央にそれぞれ形成され、かつ前記第１方向に沿ってそれぞれ形成されて、前記第１負コネクタの前記櫛形部を、前記溶接部が互いに対向して設けられている２つの側に向けて分離させることを特徴とする請求項３に記載の電池並列デバイス。
【請求項５】
前記第１方向とは逆方向を向いている前記第１正コネクタの前記櫛形部の端末はそれぞれ間隙を含み、前記第１正コネクタの前記櫛形部の前記間隙は前記第１正コネクタの前記櫛形部の前記細長い孔にそれぞれ接続され、
前記第１方向を向いている前記櫛形部の端末はそれぞれ間隙を含み、前記第１負コネクタの前記櫛形部の前記間隙は前記第１負コネクタの前記櫛形部の前記細長い孔にそれぞれ接続されることを特徴とする請求項４に記載の電池並列デバイス。
【請求項６】
前記第１正コネクタの前記櫛形部は前記第１正コネクタの前記接続部に対して垂直であり、
前記第１負コネクタの前記櫛形部は前記第１負コネクタの前記接続部に対して垂直であることを特徴とする請求項３に記載の電池並列デバイス。
【請求項７】
１以上の第２並列装置であって、
各々が複数の第２電池を有する複数の第２電池ユニットであって、前記複数の第２電池のそれぞれが正電極と負電極とを含む、複数の第２電池ユニットと、
前記第２電池ユニットの前記第２電池の前記正電極に電気的に接続された第２正コネクタと、
前記第２電池ユニットの前記第２電池の前記負電極に電気的に接続された第２負コネクタと、
前記第２正コネクタの端末に形成された第２正電極コネクタと、
前記第２正電極コネクタと前記第２電池の前記正電極の各々との間にそれぞれ形成された複数の第１電流経路と、
前記第２負コネクタの端末に形成された第２負電極コネクタと、
前記第２負電極コネクタと前記第２電池の前記負電極の各々との間にそれぞれ形成された複数の第２電流経路と、を含む第２並列装置を含み、
前記第２電池の各々の合計経路長は、同じ第２電池に対応する前記第１電流経路の長さと前記第２電流経路の長さとの合計であり、かついずれの前記第２電池の前記合計経路長も等しいことを特徴とする請求項３から請求項６のいずれか１項に記載の電池並列デバイス。
【請求項８】
前記１以上の第２並列装置の前記第２電池ユニットの前記第２電池は第２円筒形電池であり、前記第２円筒形電池は第２方向に沿って設けられ、
前記第２円筒形電池の前記正電極は同一方向を向き、前記第２電池ユニットは互いに分離され、
前記第２正コネクタは、
接続部と、
互いに分離され前記第２方向に沿って設けられた複数の櫛形部であって、前記第２方向を向いている前記櫛形部の端末が前記接続部と接続され、前記櫛形部は一の前記第２電池ユニットの前記第２円筒形電池の前記正電極にそれぞれ電気的に接続される、櫛形部と、を含み、
前記第２負コネクタは、
接続部と、
互いに分離され前記第２方向に沿って設けられた複数の櫛形部であって、前記第２方向とは逆方向を向いている前記第２負コネクタの前記櫛形部の端末が前記第２負コネクタの前記接続部と接続され、前記第２負コネクタの前記櫛形部は一の前記第２電池ユニットの前記第２円筒形電池の前記負電極にそれぞれ電気的に接続される、櫛形部と、を含み、
前記第２正電極コネクタは前記第２正コネクタの前記接続部に形成され、
前記第２負電極コネクタは前記第２負コネクタの前記接続部に形成されることを特徴とする請求項７に記載の電池並列デバイス。
【請求項９】
前記１以上の第２並列装置の前記第２正コネクタの前記接続部と前記１以上の第１並列装置の前記第１負コネクタの前記接続部とが一体的に形成されていることを特徴とする請求項８に記載の電池並列デバイス。
【請求項１０】
前記１以上の第２並列装置の一の前記第２電池ユニットの前記第２円筒形電池は、２つの列を形成するように設けられ、前記２つの列の前記第２円筒形電池は互い違いに配置され、
前記第２正コネクタの前記櫛形部の各々は矩形のシートであり、前記第２正コネクタの前記櫛形部の各々は複数の溶接部を含み、
前記第２正コネクタの一の前記櫛形部の前記溶接部は、前記第２正コネクタの前記１つの櫛形部の両側に設けられ、前記第２正コネクタの前記溶接部は、一の前記第２電池ユニットの前記第２円筒形電池の前記正電極にそれぞれ溶接され、
前記第２正コネクタの前記櫛形部は、細長い孔をそれぞれ含み、
前記細長い孔は、前記第２正コネクタの前記櫛形部の中央にそれぞれ形成され、かつ前記第２方向に沿ってそれぞれ形成されて、前記第２正コネクタの前記櫛形部を、前記溶接部が互いに対向して設けられている２つの側に向けて分離させ、
前記第２負コネクタの前記櫛形部の各々は矩形のシートであり、前記第２負コネクタの前記櫛形部の各々は複数の溶接部を含み、
前記第２負コネクタの一の前記櫛形部の前記溶接部の各々は、前記第２負コネクタの前記１つの櫛形部の両側に設けられ、前記第２負コネクタの前記溶接部は、一の前記第２電池ユニットの前記第２円筒形電池の前記正電極にそれぞれ溶接され、
前記第２負コネクタの前記櫛形部は、細長い孔をそれぞれ含み、
前記細長い孔は、前記第２負コネクタの前記櫛形部の中央にそれぞれ形成され、かつ前記第２方向に沿ってそれぞれ設けられて、前記第２負コネクタの前記櫛形部を、前記溶接部が互いに対向して設けられている２つの側に向けて分離させることを特徴とする請求項８に記載の電池並列デバイス。
【請求項１１】
前記第２方向とは逆方向を向いている前記第２正コネクタの前記櫛形部の端末はそれぞれ間隙を含み、前記第２正コネクタの前記櫛形部の前記間隙は前記第２正コネクタの前記櫛形部の前記細長い孔にそれぞれ接続され、
前記第２方向を向いている前記第２負コネクタの前記櫛形部の前記端末はそれぞれ間隙を含み、前記第２負コネクタの前記櫛形部の前記間隙は前記第２負コネクタの前記櫛形部の前記細長い孔にそれぞれ接続されることを特徴とする請求項１０に記載の電池並列デバイス。
【請求項１２】
前記第２正コネクタの前記櫛形部は前記第２正コネクタの前記接続部に対して垂直であり、
前記第２負コネクタの前記櫛形部は前記第２負コネクタの前記接続部に対して垂直であることを特徴とする請求項８に記載の電池並列デバイス。
【請求項１３】
シェルであって、
収容空間と、
第１ハーフシェルと、
前記第１ハーフシェルと接続して前記シェルを形成する第２ハーフシェルと、
前記第１ハーフシェルの壁に形成された複数の第１電池電極開口部と、
前記第１電池電極開口部が設けられた前記壁とは反対側の壁に形成された複数の第２電池電極開口部とを含むシェルを含み、
前記１以上の第１並列装置の前記第１電池ユニットの前記第１円筒形電池と、前記１以上の第２並列装置の前記第２電池ユニットの前記第２円筒形電池とは、前記シェルの前記収容空間内に設けられ、
前記第１円筒形電池の前記正電極は前記シェルの前記第１電池電極開口部にそれぞれ設けられ、
前記第２円筒形電池の前記負電極は前記シェルの前記第２電池電極開口部にそれぞれ設けられ、
前記１以上の第２並列装置の前記第２正コネクタは、前記第１ハーフシェルの外部に設けられ、かつ前記第１電池電極開口部を介して前記第２円筒形電池の前記正電極に電気的に接続され、
前記１以上の第１並列装置の前記第１負コネクタは、前記第１ハーフシェルの外部に設けられ、かつ前記第１電池電極開口部を介して前記第１円筒形電池の前記負電極に電気的に接続され、
前記１以上の第２並列装置の前記第２正コネクタは、前記第１ハーフシェルの外部に設けられ、かつ前記第１電池電極開口部を介して前記第２円筒形電池の前記正電極に電気的に接続され、
前記１以上の第２並列装置の前記第２負コネクタは、前記第２ハーフシェルの外部に設けられ、かつ前記第２電池電極開口部を介して前記第２円筒形電池の前記負電極に電気的に接続されることを特徴とする請求項８に記載の電池並列デバイス。
【請求項１４】
インピーダンスの等しい充電経路と放電経路とを有する電池並列デバイスであって、
１以上の第１並列装置であって、
複数の第１電池ユニットであって、前記第１電池ユニットの各々はパウチ型電池でありかつ電池コア、第１シェル、及び第２シェルを含み、前記電池コアは前記第１シェルと前記第２シェルとの間に設けられ、前記第１電池ユニットの前記電池コアの各々は正電極と負電極とを含み、前記電池コアの前記正電極は同じ方向を向いている、複数の第１電池ユニットと、
接続部と複数の櫛形部とを含む第１正コネクタであって、前記櫛形部は互いに分離され第１方向に沿って設けられ、前記第１方向を向いている前記櫛形部の端末が前記接続部と接続され、前記櫛形部は一の前記第１電池ユニットの前記電池コアの前記正電極にそれぞれ電気的に接続される、第１正コネクタと、
接続部と複数の櫛形部とを含む第１負コネクタであって、前記第１負コネクタの前記櫛形部は互いに分離され前記第１方向に沿って設けられ、前記第１方向とは逆方向を向いている前記第１負コネクタの前記櫛形部の端末が前記第１負コネクタの前記接続部と接続され、前記第１負コネクタの前記櫛形部は一の前記第１電池ユニットの前記電池コアの前記負電極にそれぞれ電気的に接続される、第１負コネクタと、
前記第１正コネクタの前記接続部に形成された第１正電極コネクタと、
前記第１負コネクタの前記接続部に形成された第１負電極コネクタと、を含むことを特徴とする電池並列デバイス。
【請求項１５】
１以上の第２並列装置であって、
複数の第２電池ユニットであって、前記第２電池ユニットの各々はパウチ型電池でありかつ電池コア、第１シェル、及び第２シェルを含み、前記電池コアは前記第１シェルと前記第２シェルとの間に設けられ、前記第２電池ユニットの前記電池コアの各々は正電極と負電極とを含み、前記第２電池ユニットの前記電池コアの前記正電極は同じ方向を向いている、複数の第２電池ユニットと、
接続部と複数の櫛形部とを含む第２正コネクタであって、前記第２正コネクタの前記櫛形部は互いに分離され第２方向に沿って設けられ、前記第２方向を向いている前記第２正コネクタの前記櫛形部の端末が前記第２正コネクタの前記接続部と接続され、前記第２正コネクタの前記櫛形部は一の前記第２電池ユニットの前記電池コアの前記正電極にそれぞれ電気的に接続される、第２正コネクタと、
接続部と複数の櫛形部とを含む第２負コネクタであって、前記第２負コネクタの前記櫛形部は互いに分離され前記第２方向に沿って設けられ、前記第２方向とは逆方向を向いている前記第２負コネクタの前記櫛形部の端末が前記第２負コネクタの前記接続部と接続され、前記第２負コネクタの前記櫛形部は一の前記第２電池ユニットの前記電池コアの前記負電極にそれぞれ電気的に接続される、第２負コネクタと、
前記第２正コネクタの前記接続部に形成された第２正電極コネクタと、
前記第２負コネクタの前記接続部に形成された第２負電極コネクタと、を含むことを特徴とする請求項１４に記載の電池並列デバイス。
【発明の詳細な説明】
【技術分野】
【０００１】
本発明は電池デバイスに関し、特にはインピーダンスの等しい充電経路と放電経路とを有する電池並列デバイスに関する。
【背景技術】
【０００２】
以前より、自動車システムは動力源として電力を用いてきた。自動車システムの電力供給デバイスは、複数の小型充電池を有する充電可能電池パック、もしくは１つの大型単充電池であり得る。充電可能電池パックにも大型単充電池にも、欠点がある。
【０００３】
例えば、充電可能電池パックは複数の小型充電池から構成される。小型充電池の各々に重量と体積があり、充電可能電池パックの総重量と総体積は看過できないものとなり得る。自動車システムに充電可能電池パックが利用される場合、充電可能電池パックの重量と体積は自動車システムの負担となり得る。
【０００４】
大型単充電池の製造技術は従来の電池よりも複雑であることから、大型単充電池はその体積にしたがって複雑さが増大し、安全性が低下するおそれがある。したがって、大型単充電池の体積が大きくなるほど、大型単充電池の爆発の可能性が高まる。自動車システムに大型単充電池が利用される場合、大型単充電池の危険性及び損傷は看過できないものとなり得る。
【０００５】
複数の小型電池から構成される組電池が設計されている。台湾特許第３０８，４０６号は組電池を開示している。図１５を参照すると、組電池１５０は小型電池１５００から構成されている。小型電池１５００はマトリックスとなるよう配置され、並列及び直列に電気的に接続されてウェブ電気接続を形成する。組電池１５０は正電極１５０１と負電極１５０２とを含む。組電池１５０の正電極１５０１及び負電極１５０２は、負荷（図示せず）に電気的に接続され、負荷に電力を供給する。
【０００６】
組電池１５０の小型電池１５００は、並列及び直列に電気的に接続されてウェブ電気接続を形成することから、小型電池１５００のうち１つが故障した場合にも、その他の小型電池１５００によって組電池１５０は通常動作を続けることができる。更に、小型電池１５００の電流はウェブ電気接続を通じて等しく流れることから、小型電池１５００の電流は分離できる。組電池１５０の安全性を確保するために、ウェブ電気接続の接続バーを大径とする必要はなく、組電池１５０の重量を低減できる。
【０００７】
通常、組電池１５０の小型電池１５００は同一であるべきである。組電池１５０の出力端末から検出される、小型電池１５００の例えばインピーダンスは同じであるべきである。すなわち、小型電池１５００の各々は、ＤＣ内部抵抗、正極板、及び負極板を有する。小型電池１５００の合計インピーダンスには、ＤＣ内部抵抗、正極板、及び負極板のインピーダンスが加えられ、小型電池それぞれの合計インピーダンスは等しくなり得る。このように、小型電池１５００の並列構造を均衡させることができる。
【０００８】
小型電池１５００の並列構造が均衡していない場合、小型電池１５００の出力電流は電源を入れた際に異なるおそれがある。そして、小型電池１５００は電圧差を生じるおそれがある。例えば、従来のリチウムイオン電池の内部抵抗のインピーダンスは１ｍΩ未満であり、従来のリチウムイオン電池の電源を入れた際の電圧差は１ボルト未満であり得るが、従来のリチウムイオン電池の突入電流は１００アンペア超となり得る。
【０００９】
組電池１５０が負荷に電力を供給する際、組電池１５０の内部電流は負電極１５０２から正電極１５０１へと流れ、小型電池１５００内を流れる。小型電池１５００は並列及び直列に電気的に接続されてウェブ電気接続を形成することから、組電池１５０の出力端末から検出される小型電池１５００の内部抵抗のインピーダンスは異なり、小型電池１５００の並列構造は不均衡になるおそれがある。
【００１０】
電流クランプ、アンメーター、ホール効果センサ、アンメーターシャント等の従来の電流検出技術は、突入電流を検出するのが困難な場合がある。したがって、通常、突入電流は無視されるが、突入電流は小型電池１５００の寿命に影響するおそれがあり、組電池１５０の寿命を縮めるおそれがある。
【先行技術文献】
【特許文献】
【００１１】
【特許文献１】台湾特許第３０８４０６号
【発明の概要】
【発明が解決しようとする課題】
【００１２】
本発明の目的は、インピーダンスの等しい充電経路と放電経路とを有する電池並列デバイスを提供することである。
【課題を解決するための手段】
【００１３】
上記の目的を達成するために、電池並列デバイスの一の実施形態は１以上の第１並列装置を含む。
【００１４】
１以上の第１並列装置は、複数の第１電池ユニット、第１正コネクタ、第１負コネクタ、第１正電極コネクタ、及び第１負電極コネクタを含む。
【００１５】
第１電池ユニットの各々は複数の第１電池を含み、第１電池の各々は正電極と負電極とを含む。
【００１６】
第１正コネクタは第１電池ユニットの第１電池の正電極に電気的に接続されている。
【００１７】
第１負コネクタは第１電池ユニットの第１電池の負電極に電気的に接続されている。
【００１８】
第１正電極コネクタは第１正コネクタの端末に形成され、複数の第１電流経路は第１正電極コネクタと第１電池の正電極の各々との間にそれぞれ形成される。
【００１９】
第１負電極コネクタは第１負コネクタの端末に形成され、複数の第２電流経路は第１負電極コネクタと第１電池の負電極の各々との間にそれぞれ形成される。
【００２０】
第１電池の各々の合計経路長は、同じ第１電池に対応する第１電流経路の長さと第２電流経路の長さとの合計であり、かついずれの第１電池の前記合計経路長も等しい。
【００２１】
第１電流経路の合計経路長と第２電流経路の合計経路長は等しく、電流は電池並列デバイス内で第１電流経路と第２電流経路とに沿って流れる。
【００２２】
電池並列デバイスが負荷に電気的に接続され負荷に電力を供給する際、電流は電池並列デバイス内で同じ合計経路長にわたって流れる。したがって、電池並列デバイスの並列構造は均衡し、電池並列デバイスの寿命を延ばすことができる。
【００２３】
また、電池並列デバイスの別の実施形態は、１以上の第１並列装置を含む。
【００２４】
１以上の第１並列装置は、複数の第１電池ユニット、第１正コネクタ、第１負コネクタ、第１正電極コネクタ、及び第１負電極コネクタを含む。
【００２５】
第１電池ユニットの各々はパウチ型電池であり、電池コア、第１シェル、及び第２シェルを含む。電池コアは第１シェルと第２シェルとの間に設けられる。第１電池ユニットの電池コアは、正電極と負電極とをそれぞれ含み、電池コアの正電極は同じ方向を向いている。
【００２６】
第１正コネクタは接続部と複数の櫛形部とを含む。櫛形部は互いに分離され、第１方向に沿って設けられる。第１方向を向いている櫛形部の端末は接続部と接続され、櫛形部は一の第１電池ユニットの電池コアの正電極にそれぞれ電気的に接続される。
【００２７】
第１負コネクタは接続部と複数の櫛形部とを含む。第１負コネクタの櫛形部は互いに分離され、第１方向に沿って設けられる。第１方向とは逆方向を向いている第１負コネクタの櫛形部の端末は第１負コネクタの接続部と接続され、第１負コネクタの櫛形部は一の第１電池ユニットの電池コアの負電極にそれぞれ電気的に接続される。
【００２８】
第１正電極コネクタは第１正コネクタの接続部に形成される。
【００２９】
第１負電極コネクタは第１負コネクタの接続部に形成される。
【発明の効果】
【００３０】
電池並列デバイスが負荷に電気的に接続され負荷に電力を供給する際、電流は電池並列デバイス内を流れる。したがって、電池並列デバイスの並列構造は均衡し、電池並列デバイスの寿命を延ばすことができる。
【図面の簡単な説明】
【００３１】
【図１】本発明のインピーダンスの等しい充電経路と放電経路とを有する電池並列デバイスの一の実施形態の斜視図である。
【図２】図１の電池並列デバイスの別の斜視図である。
【図３】図１の電池並列デバイスの側面図である。
【図４】図１の電池並列デバイスの模式的回路図である。
【図５】インピーダンスの等しい充電経路と放電経路とを有する電池並列デバイスの別の実施形態の模式図である。
【図６】図５の電池並列デバイスの実施形態の別の模式図である。
【図７】インピーダンスの等しい充電経路と放電経路とを有する電池並列デバイスのまた別の実施形態の模式図である。
【図８】図７の電池並列デバイスの別の模式図である。
【図９】図７の電池並列デバイスの模式的回路図である。
【図１０】インピーダンスの等しい充電経路と放電経路とを有する電池並列デバイスのまた別の実施形態の模式図である。
【図１１】図１０の電池並列デバイスの分解斜視図である。
【図１２】インピーダンスの等しい充電経路と放電経路とを有する電池並列デバイスのまたさらに別の実施形態の模式図である。
【図１３】図１２の電池並列デバイスの分解図である。
【図１４】図１２の電池並列デバイスの別の模式図である。
【図１５】従来の組電池の回路図である。
【発明を実施するための形態】
【００３２】
図１から３を参照すると、本発明はインピーダンスの等しい充電経路と放電経路とを有する電池並列デバイス１０である。電池並列デバイス１０は１以上の第１並列装置１１を含み、１以上の第１並列装置１１は複数の第１電池ユニット１１１、第１正コネクタ１１２、第１負コネクタ１１３、第１正電極コネクタ１１４、及び第１負電極コネクタ１１５を含む。
【００３３】
第１電池ユニット１１１の各々は複数の第１電池を含み、第１電池の各々は正電極と負電極とを含む。
【００３４】
第１正コネクタ１１２は第１電池ユニット１１１の第１電池の正電極に電気的に接続されている。第１負コネクタ１１３は第１電池ユニット１１１の第１電池の負電極に電気的に接続されている。
【００３５】
第１正電極コネクタ１１４は第１正コネクタ１１２の端末に形成され、複数の第１電流経路は第１正電極コネクタ１１４と第１電池の正電極の各々との間にそれぞれ形成される。
【００３６】
第１負電極コネクタ１１５は第１負コネクタ１１３の端末に形成され、複数の第２電流経路は第１負電極コネクタ１１５と第１電池の負電極の各々との間にそれぞれ形成される。
【００３７】
第１電池の各々の合計経路長は、同じ第１電池に対応する第１電流経路の長さと第２電流経路の長さとの合計であり、かついずれの第１電池の前記合計経路長も等しい。
【００３８】
電池並列デバイス１０が負荷（図示せず）に電気的に接続され負荷に電力を供給する際、電池並列デバイス１０内を流れる電流の流れる距離は、合計経路長と同じかつ等しい。したがって、電池並列デバイス１０の並列構造は均衡し、突入電流を減らして電池並列デバイスの寿命を延ばすことができる。
【００３９】
本実施形態において、第１電流経路の各々の長さは、第１負電極コネクタ１１５と第１電池の各々との間の距離である。異なる電池に対応する第１電流経路は異なる長さを有する。
【００４０】
第２流経路の各々の長さは、第１正電極コネクタ１１４と第１電池の各々との間の距離である。異なる電池に対応する第２電流経路は異なる長さを有する。
【００４１】
本実施形態において、第１電池ユニット１１１の第１電池は第１円筒形電池１１１１であり、第１円筒形電池１１１１は第１方向Ｘに沿って設けられる。第１円筒形電池１１１１の正電極は同一方向を向き、第１電池ユニット１１１は互いに分離される。
【００４２】
第１正コネクタ１１２は接続部１１２１と複数の櫛形部１１２２とを含む。櫛形部１１２２は互いに分離され、第１方向Ｘに沿って設けられる。第１方向Ｘを向いている櫛形部１１２２の端末は接続部１１２１と接続され、櫛形部１１２２は一の第１電池ユニット１１１の第１円筒形電池１１１１の正電極にそれぞれ電気的に接続される。
【００４３】
第１負コネクタ１１３は接続部１１３１と複数の櫛形部１１３２とを含む。第１負コネクタ１１３の櫛形部１１３２は互いに分離され、第１方向Ｘに沿って設けられる。第１方向Ｘとは逆方向を向いている第１負コネクタ１１３の櫛形部１１３２の端末は第１負コネクタ１１３の接続部１１３１と接続され、第１負コネクタ１１３の櫛形部１１３２は一の第１電池ユニット１１１の第１円筒形電池１１１１の負電極にそれぞれ電気的に接続される。
【００４４】
第１正電極コネクタ１１４は第１正コネクタ１１２の接続部１１２１に形成される。第１負電極コネクタ１１５は第１負コネクタ１１３の接続部１１３１に形成される。
【００４５】
第１電池ユニット１１１の第１円筒形電池１１１１は第１方向Ｘに沿って設けられ、第１正電極コネクタ１１４は第１正コネクタ１１２の接続部１１２１に形成され、第１負電極コネクタ１１５は第１負コネクタ１１３の接続部１１３１に形成される。
【００４６】
電池並列デバイス１０が負荷に電気的に接続され負荷に電力を供給する際、電池並列デバイス１０内の各第１円筒形電池１１１１を流れる電流の流れる距離は同じになり得る。したがって、電池並列デバイス１０の並列構造を均衡させることができる。
【００４７】
反対に、電池並列デバイス１０が電源に電気的に接続され充電される際、電池並列デバイス１０内の各第１円筒形電池１１１１を流れる電流の流れる距離はやはり同じになり得る。したがって、電池並列デバイス１０の並列構造を均衡させることができる。
【００４８】
例えば、図４を参照すると、電池並列デバイス１０が放電する際、第１負電極コネクタ１１５に最も近い位置に設けられた第１円筒形電池１１１１Ａを流れる電流Ａは、第１負電極コネクタ１１５から、第１負コネクタ１１３の櫛形部１１３２上の短い第１距離を流れ、その後第１円筒形電池１１１１Ａの負電極へと流れ込む。更に、電流Ａが第１円筒形電池１１１１Ａの正電極から流れ出す際、電流Ａは第１正コネクタ１１２の櫛形部１１２２上の長い第２距離を流れ、第１正電極コネクタ１１４へ流れる。
【００４９】
また、第１正電極コネクタ１１４に最も近い位置に設けられた第１円筒形電池１１１１Ｂを流れる電流Ｂは、第１負電極コネクタ１１５から、第１負コネクタ１１３の櫛形部１１３２上の長い第３距離を流れ、その後第１円筒形電池１１１１Ｂの負電極へと流れ込む。更に、電流Ｂが第１円筒形電池１１１１Ｂの正電極から流れ出す際、電流Ｂは第１正コネクタ１１２の櫛形部１１２２上の短い第４距離を流れ、第１正電極コネクタ１１４へ流れる。
【００５０】
電流Ａの流れる距離が、短い第１長さと長い第２長さとの合計であり、かつ電流Ｂの流れる距離が、長い第３長さと短い第４長さとの合計であることから、電流Ａの流れる距離と電流Ｂの流れる距離とは同じ長さである。したがって、電池並列デバイス１０の並列構造は均衡し、突入電流を減らして電池並列デバイスの寿命を延ばすことができる。
【００５１】
さらに、図１及び２を参照すると、一の第１電池ユニット１１１の第１円筒形電池１１１１は、２つの列を形成するように設けられ、２つの列の第１円筒形電池１１１１は互い違いに配置される。
【００５２】
第１正コネクタ１１２の櫛形部１１２２の各々は矩形のシートである。第１正コネクタ１１２の櫛形部１１２２の各々は複数の溶接部１１２３を含む。第１正コネクタ１１２の一の櫛形部１１２２の溶接部１１２３は、第１正コネクタ１１２の１つの櫛形部１１２２の両側に設けられ、第１正コネクタ１１２の溶接部１１２３は、一の第１電池ユニット１１１の第１円筒形電池１１１１の正電極にそれぞれ溶接される。
【００５３】
第１正コネクタ１１２の櫛形部１１２２は、細長い孔１１２０をそれぞれ含む。細長い孔１１２０は、第１正コネクタ１１２の櫛形部１１２２の中央にそれぞれ形成され、かつ第１方向Ｘに沿ってそれぞれ形成されて、第１正コネクタ１１２の櫛形部１１２２を、溶接部１１２３が互いに対向して設けられている２つの側に向けて分離させる。
【００５４】
第１負コネクタ１１３の櫛形部１１３２の各々は矩形のシートである。第１負コネクタ１１３の櫛形部１１３２の各々は複数の溶接部１１３３を含む。第１負コネクタ１１３の一の櫛形部１１３２の溶接部１１３３は、第１負コネクタ１１３の１つの櫛形部１１３２の両側に設けられ、第１負コネクタ１１３の溶接部１１３３は、一の第１電池ユニット１１１の第１円筒形電池１１１１の正電極にそれぞれ溶接される。
【００５５】
第１負コネクタ１１３の櫛形部１１３２は、細長い孔１１３０をそれぞれ含む。細長い孔１１３０は、第１負コネクタ１１３の櫛形部１１３２の中央にそれぞれ形成され、かつ第１方向Ｘに沿ってそれぞれ形成されて、第１負コネクタ１１３の櫛形部１１３２を、溶接部１１２３が互いに対向して設けられている２つの側に向けて分離させる。
【００５６】
さらに、第１正コネクタ１１２の櫛形部１１２２は、第１正コネクタ１１２の接続部１１２１に対して垂直であり、第１負コネクタ１１３の櫛形部１１３２は、第１負コネクタ１１３の接続部１１３１に対して垂直である。
【００５７】
第１正コネクタ１１２の櫛形部の１１２２は細長い孔１１２０を含んで第１正コネクタ１１２の櫛形部１１２２を、溶接部１１２３が互いに対向して設けられている２つの側に向けて分離させることから、第１円筒形電池１１１１の正電極からの電流の流れは櫛形部１１２２の細長い孔１１２０によって分離できる。分離された電流はそれぞれ、溶接部１１２３が設けられている２つの側に向かって分離されている第１正コネクタ１１２の櫛形部１１２２を流れる。このように、分離された電流の流れ方向を限定でき、分離された電流が逆側の櫛形部１１２２に流れないようにして突入電流を低減できる。
【００５８】
同様の理由から、第１負コネクタ１１３の櫛形部１１３２は細長い孔１１３０を含むことで、第１負コネクタ１１３の櫛形部１１３２を、溶接部１１２３が設けられている２つの側に向けて分離させる。第１円筒形電池１１１１の負電極から流れる電流は、櫛形部１１３２の細長い孔１１３０によって分離でき、突入電流を低減できる。
【００５９】
図５及び６を参照すると、第１方向Ｘとは逆方向を向いている第１正コネクタ１１２の櫛形部１１２２の端末はそれぞれ間隙１１２４を含み、第１正コネクタ１１２の櫛形部１１２２の間隙１１２４は第１正コネクタ１１２の櫛形部１１２２の細長い孔１１２０にそれぞれ接続される。
【００６０】
第１方向Ｘを向いている櫛形部１１３２の端末はそれぞれ間隙１１３４を含み、第１負コネクタ１１３の櫛形部１１３２の間隙１１３４は第１負コネクタ１１３の櫛形部１１３２の細長い孔１１３０にそれぞれ接続される。
【００６１】
櫛形部１１２２及び櫛形部１１３２に間隙１１２４及び間隙１１３４がそれぞれ形成されることから、櫛形部１１２２及び櫛形部１１３２を流れる電流の流れ方向を更に限定でき、突入電流を更に低減できる。
【００６２】
図７及び８を参照すると、電池並列デバイス１０は１以上の第２並列装置１２を更に含む。１以上の第２並列装置１２は、複数の第２電池ユニット１２１、第２正コネクタ１２２、第２負コネクタ１２３、第２正電極コネクタ１２４、及び第２負電極コネクタ１２５を含む。
【００６３】
１以上の第２並列装置１２の第２電池ユニット１２１の各々は複数の第２電池を含み、第２電池のそれぞれは正電極と負電極とを含む。
【００６４】
第２正コネクタ１２２は第２電池ユニット１２１の第２電池の正電極に電気的に接続されている。第２負コネクタ１２３は第２電池ユニット１２１の第２電池の負電極に電気的に接続されている。
【００６５】
第２正電極コネクタ１２４は第２正コネクタ１２２の端末に形成され、複数の第１電流経路は第２正電極コネクタ１２４と第２電池の正電極の各々との間にそれぞれ形成される。
【００６６】
第２負電極コネクタ１２５は第２負コネクタ１２３の端末に形成され、複数の第２電流経路は第２負電極コネクタ１２５と第２電池の負電極の各々との間にそれぞれ形成される。
【００６７】
第２電池の各々の合計経路長は、同じ第２電池に対応する第１電流経路の長さと第２電流経路の長さとの合計であり、いずれの第２電池の合計経路長も等しい。
【００６８】
電池並列デバイス１０が負荷に電気的に接続され放電する際、電池並列デバイス１０内を流れる電流の流れる距離は、合計経路長と同じかつ等しい。更に、１以上の第１並列装置１１内を流れる電流は流れる距離が同じであり、１以上の第２並列装置１２内を流れる電流も流れる距離が同じである。
【００６９】
したがって、１以上の第１並列装置１１と１以上の第２並列装置１２とが電気的に直列に接続された際、電流は、直列に接続された１以上の第１並列装置１１と１以上の第２並列装置１２とを流れ、１以上の第１並列装置１１と１以上の第２並列装置１２とを流れる各電流の合計長は同じである。
【００７０】
したがって、電池並列デバイス１０の並列構造は均衡し、突入電流を減らして電池並列デバイスの寿命を延ばすことができる。
【００７１】
本実施形態において、第２電池ユニット１２１の第２電池は第２円筒形電池１２１１であり、第２円筒形電池１２１１は第２方向Ｙに沿って設けられる。第２円筒形電池１２１１の正電極は同一方向を向き、第２電池ユニット１２１は互いに分離される。
【００７２】
第２正コネクタ１２２は接続部１２２１と複数の櫛形部１２２２とを含む。櫛形部１２２２は互いに分離され、第２方向Ｙに沿って設けられる。第２方向Ｙを向いている櫛形部１２２２の端末は接続部１２２１と接続され、櫛形部１２２２は一の第２電池ユニット１２１の第２円筒形電池１２１１の正電極にそれぞれ電気的に接続される。
【００７３】
第２負コネクタ１２３は接続部１２３１と複数の櫛形部１２３２とを含む。第２負コネクタ１２３の櫛形部１２３２は互いに分離され、第２方向Ｙに沿って設けられる。第２方向Ｙとは逆方向を向いている第２負コネクタ１２３の櫛形部１２３２の端末は第２負コネクタ１２３の接続部１２３１と接続され、第２負コネクタ１２３の櫛形部１２３２は一の第２電池ユニット１２１の第２円筒形電池１２１１の負電極にそれぞれ電気的に接続される。
【００７４】
第２正電極コネクタ１２４は第２正コネクタ１２２の接続部１２２１に形成される。第２負電極コネクタ１２５は第２負コネクタ１２３の接続部１２３１に形成される。
【００７５】
更に、１以上の第２並列装置１２の第２正電極コネクタ１２４は、１以上の第１並列装置１１の第１負電極コネクタ１１５に電気的に接続されている。本実施形態において、１以上の第２並列装置１２の第２正コネクタ１２２の接続部１２２１と１以上の第１並列装置１１の第１負コネクタ１１３の接続部１１３１とが一体的に形成されている。
【００７６】
１以上の第１並列装置１１と１以上の第２並列装置１２とは電気的に直列に接続でき、１以上の第１並列装置１１と１以上の第２並列装置１２とを流れる各電流の合計長はやはり同じである。このように、電池並列デバイス１０は異なる要求に応じた様々な設計が可能で、電池並列デバイス１０の出力電圧は、１以上の第１並列装置１１と１以上の第２並列装置１２とを直列又は並列に電気的に接続することで変更できる。
【００７７】
また、電池並列デバイス１０の並列構造を均衡させ、突入電流を減らして電池並列デバイス１０の寿命を延ばすこともできる。
【００７８】
例えば、図９を参照すると、電池並列デバイス１０が放電する際、第２負電極コネクタ１２５に最も近い位置に設けられた第２円筒形電池１２１１Ｃを流れる電流Ｃは、第２負電極コネクタ１２５から、第２負コネクタ１２３の櫛形部１２３２上の短い第１距離を流れ、その後第２円筒形電池１２１１Ｃの負電極へと流れ込む。更に、電流Ｃが第２円筒形電池１２１１Ｃの正電極から流れ出す際、電流Ｃは第２正コネクタ１２２の櫛形部１２２２上の長い第２距離を流れ、第２正電極コネクタ１２４へ流れる。その後電流Ｃは、１以上の第１並列装置１１の第１負電極コネクタ１１５に流れ込む。
【００７９】
電流Ｃが１以上の第１並列装置１１に流れ込む際、１以上の第１並列装置１１内を異なる経路で流れる電流Ｃの合計経路長は同じである。
【００８０】
また、第２正電極コネクタ１２４に最も近い位置に設けられた第２円筒形電池１２１１Ｄを流れる電流Ｄは、第２負電極コネクタ１２５から、第２負コネクタ１２３の櫛形部１２３２上の長い第３距離を流れ、その後第２円筒形電池１２１１Ｄの負電極へと流れ込む。更に、電流Ｄが第２円筒形電池１２１１Ｄの正電極から流れ出す際、電流Ｄは第２正コネクタ１２２の櫛形部１２２２上の短い第４距離を流れ、第２正電極コネクタ１２４へ流れる。その後電流Ｄは、１以上の第１並列装置１１の第１負電極コネクタ１１５に流れ込む。
【００８１】
電流Ｄが１以上の第１並列装置１１に流れ込む際、１以上の第１並列装置１１内を異なる経路で流れる電流Ｄの合計経路長は同じである。
【００８２】
同様の理由から、電流Ｃと電流Ｄとが１以上の第２並列装置１２を流れる際、電流Ｃと電流Ｄとは同じ経路長を有し得る。そして、電流Ｃと電流Ｄとが第１負電極コネクタ１１５に流れ込む際、電流Ｃと電流Ｄとは１以上の第１並列装置１１内でやはり同じ経路長を有し得る。
【００８３】
したがって、電池並列デバイス１０の並列構造は均衡し、突入電流を減らして電池並列デバイスの寿命を延ばすことができる。
【００８４】
さらに、図７及び８を参照すると、一の２電池ユニット１２１の第２円筒形電池１２１１は、２つの列を形成するように設けられ、２つの列の第２円筒形電池１２１１は互い違いに配置される。
【００８５】
第２正コネクタ１２２の櫛形部１２２２の各々は矩形のシートである。第２正コネクタ１２２の櫛形部１２２２の各々は複数の溶接部１２２３を含む。第２正コネクタ１２２の一の櫛形部１２２２の溶接部１２２３は、第２正コネクタ１２２の１つの櫛形部１２２２の両側に設けられ、第２正コネクタ１２２の溶接部１２２３は、一の第２電池ユニット１２１の第２円筒形電池１２１１の正電極にそれぞれ溶接される。
【００８６】
第２正コネクタ１２２の櫛形部１２２２は、細長い孔１２２０をそれぞれ含む。細長い孔１２２０は、第２正コネクタ１２２の櫛形部１２２２の中央にそれぞれ形成され、かつ第２方向Ｙに沿ってそれぞれ形成されて、第２正コネクタ１２２の櫛形部１２２２を、溶接部１２２３が互いに対向して設けられている２つの側に向けて分離させる。
【００８７】
第２負コネクタ１２３の櫛形部１２３２の各々は矩形のシートである。第２負コネクタ１２３の櫛形部１２３２の各々は複数の溶接部１２３３を含む。第２負コネクタ１２３の一の櫛形部１２３２の溶接部１２３３は、第２負コネクタ１２３の１つの櫛形部１２３２の両側に設けられ、第２負コネクタ１２３の溶接部１２３３は、一の第２電池ユニット１２１の第２円筒形電池１２１１の正電極にそれぞれ溶接される。
【００８８】
第２負コネクタ１２３の櫛形部１２３２は、細長い孔１２３０をそれぞれ含む。細長い孔１２３０は、第２負コネクタ１２３の櫛形部１２３２の中央にそれぞれ形成され、かつ第２方向Ｙに沿ってそれぞれ設けられて、第２負コネクタ１２３の櫛形部１２３２を、溶接部１２３３が互いに対向して設けられている２つの側に向けて分離させる。
【００８９】
さらに、第２正コネクタ１２２の櫛形部１２２２は、第２正コネクタ１２２の接続部１２２１に対して垂直であり、第２負コネクタ１２３の櫛形部１２３２は、第２負コネクタ１２３の接続部１２３１に対して垂直である。
【００９０】
上述の同様の理由から、第２円筒形電池１２１１の正電極から流れ出す電流は、櫛形部１２２２の細長い孔１２２０によって分離され、分離された電流の流れ方向を限定して突入電流を低減できる。
【００９１】
更に、第２円筒形電池１２１１の負電極から流れる電流は、櫛形部１２３２の細長い孔１２３０によって分離でき、突入電流を低減できる。
【００９２】
また、第２方向Ｙとは逆方向を向いている第２正コネクタ１２２の櫛形部１２２２の端末はそれぞれ間隙（図示せず）を含み、第２正コネクタ１２２の櫛形部１２２２の間隙は第２正コネクタ１２２の櫛形部１２２２の細長い孔１２２０にそれぞれ接続される。
【００９３】
第２方向Ｙを向いている第２負コネクタ１２３の櫛形部１２３２の端末はそれぞれ間隙（図示せず）を含み、第２負コネクタ１２３の櫛形部１２３２の間隙は第２負コネクタ１２３の櫛形部１２３２の細長い孔１２３０にそれぞれ接続される。
【００９４】
第２負コネクタ１２３の櫛形部１２３２の間隙と第２正コネクタ１２２の櫛形部１２２２の間隙とは、第２負コネクタ１２３の櫛形部１２３２と第２正コネクタ１２２の櫛形部１２２２とにそれぞれ形成されることから、第２負コネクタ１２３の櫛形部１２３２と第２正コネクタ１２２の櫛形部１２２２とを流れる電流の流れ方向を更に限定でき、突入電流を更に低減できる。
【００９５】
図１０及び１１を参照すると、電池並列デバイス１０はシェル１３を更に含む。シェル１３は収容空間１３０、第１ハーフシェル１３１、第２ハーフシェル１３２、複数の第１電池電極開口１３１１、及び複数の第２電池電極開口１３２１を含む。シェル１３は第１ハーフシェル１３１と第２ハーフシェル１３２とから構成される。第１電池電極開口１３１１は、第１ハーフシェル１３１の壁に形成されている。第２電池電極開口１３２１は、第１電池電極開口１３１１を有する壁とは反対側の第２ハーフシェル１３２の壁に形成されている。
【００９６】
１以上の第１並列装置１１の第１電池ユニット１１１の第１円筒形電池１１１１と、１以上の第２並列装置１２の第２電池ユニット１２１の第２円筒形電池１２１１とは、シェル１３の収容空間１３０内に設けられる。第１円筒形電池１１１１の正電極は、シェル１３の第１電池電極開口１３１１にそれぞれ設けられ、第２円筒形電池１２１１の負電極は、シェル１３の第２電池電極開口１３２１にそれぞれ設けられる。
【００９７】
１以上の第１並列装置１１の第１正コネクタ１１２は、第２ハーフシェル１３２の外部に設けられ、かつ第２電池電極開口部１３２１を介して第１円筒形電池１１１１の正電極に電気的に接続される。
【００９８】
１以上の第１並列装置１１の第１負コネクタ１１３は、第１ハーフシェル１３１の外部に設けられ、かつ第１電池電極開口部１３１１を介して第１円筒形電池１１１１の負電極に電気的に接続される。
【００９９】
更に、１以上の第２並列装置１２の第２正コネクタ１２２は、第１ハーフシェル１３１の外部に設けられ、かつ第１電池電極開口部１３１１を介して第２円筒形電池１２１１の正電極に電気的に接続される。
【０１００】
１以上の第２並列装置１２の第２正コネクタ１２３は、第２ハーフシェル１３２の外部に設けられ、かつ第２電池電極開口部１３２１を介して第２円筒形電池１２１１の負電極に電気的に接続される。
【０１０１】
また、１以上の第２並列装置１２の第２正電極コネクタ１２４は、１以上の第１並列装置１１の第１負電極コネクタ１１５に電気的に接続されている。
【０１０２】
したがって、電池並列デバイス１０は異なる要求に応じた様々な設計が可能で、電池並列デバイス１０の出力電圧は、１以上の第１並列装置１１と１以上の第２並列装置１２とを直列又は並列に電気的に接続することで変更できる。一方、突入電流を低減でき、電池並列デバイス１０の寿命を延ばすことができる。
【０１０３】
図１２、１３、及び１４を参照すると、別の実施形態において電池並列デバイス２０は１以上の第１並列装置２１を含む。１以上の第１並列装置２１は、複数の第１電池ユニット２１１、第１正コネクタ２１２、第１負コネクタ２１３、第１正電極コネクタ２１４、及び第１負電極コネクタ２１５を含む。
【０１０４】
第１電池ユニット２１１の各々はパウチ型電池であり、電池コア２１１１、第１シェル２１１２、及び第２シェル２１１３を含む。電池コア２１１１は第１シェル２１１２と第２シェル２１１３との間に設けられる。第１電池ユニット２１１の電池コア２１１１は、正電極と負電極とをそれぞれ含み、電池コア２１１１の正電極は同じ方向を向いている。
【０１０５】
第１正コネクタ２１２は接続部２１２１と複数の櫛形部２１２２とを含む。櫛形部２１２２は互いに分離され、第１方向Ｘに沿って設けられる。第１方向Ｘを向いている櫛形部２１２２の端末は接続部２１２１と接続され、櫛形部２１２２は一の第１電池ユニット２１１の電池コア２１１１の正電極にそれぞれ電気的に接続される。
【０１０６】
第１負コネクタ２１３は接続部２１３１と複数の櫛形部２１３２とを含む。第１負コネクタ２１３の櫛形部２１３２は互いに分離され、第１方向Ｘに沿って設けられる。第１方向Ｘとは逆方向を向いている第１負コネクタ２１３の櫛形部２１３２の端末は第１負コネクタ２１３の接続部２１３１と接続され、第１負コネクタ２１３の櫛形部２１３２は一の第１電池ユニット２１１の電池コア２１１１の負電極にそれぞれ電気的に接続される。
【０１０７】
第１正電極コネクタ２１４は第１正コネクタ２１２の接続部２１２１に形成される。
【０１０８】
第１負電極コネクタ２１５は第１負コネクタ２１３の接続部２１３１に形成される。
【０１０９】
電池並列デバイス２０が負荷に電気的に接続されて放電する際、電池並列デバイス２０内を流れる電流は第１負電極コネクタ２１５から第１の正電極コネクタ２１４へと流れる。上記によれば、電池並列デバイス２０内で別々の第１電池ユニット２１１を流れる電流の経路長は同じである。したがって、電池並列デバイス２０の並列構造は均衡し、電池並列デバイス２０の寿命を延ばすことができる。
【０１１０】
電池並列デバイス２０は１以上の第２並列装置２２を更に含む。１以上の第２並列装置２２は、複数の第２電池ユニット２２１、第２正コネクタ２２２、第２負コネクタ２２３、第２正電極コネクタ２２４、及び第２負電極コネクタ２２５を含む。
【０１１１】
第２電池ユニット２２１の各々はパウチ型電池であり、電池コア２２１１、第１シェル２２１２、及び第２シェル２２１３を含む。電池コア２２１１は第１シェル２２１２と第２シェル２２１３との間に設けられる。第２電池ユニット２２１の電池コア２２１１は、正電極と負電極とをそれぞれ含み、第２電池ユニット２２１の電池コア２２１１の正電極は同じ方向を向いている。
【０１１２】
第２正コネクタ２２２は接続部２２２１と複数の櫛形部２２２２とを含む。第２正コネクタ２２２の櫛形部２２２２は互いに分離され、第２方向Ｙに沿って設けられる。第２方向Ｙを向いている第２正コネクタ２２２の櫛形部２２２２の端末は第２正コネクタ２２２の接続部２２２１と接続され、第２正コネクタ２２２の櫛形部２２２２は一の第２電池ユニット２２１の電池コア２２１１の正電極にそれぞれ電気的に接続される。
【０１１３】
第２負コネクタ２２３は接続部２２３１と複数の櫛形部２２３２とを含む。第２負コネクタ２２３の櫛形部２２３２は互いに分離され、第２方向Ｙに沿って設けられる。第２方向Ｙとは逆方向を向いている第２負コネクタ２２３の櫛形部２２３２の端末は第２負コネクタ２２３の接続部２２３１と接続され、第２負コネクタ２２３の櫛形部２２３２は一の第２電池ユニット２２１の電池コア２２１１の負電極にそれぞれ電気的に接続される。
【０１１４】
第２正電極コネクタ２２４は第２正コネクタ２２２の接続部２２２１に形成される。
【０１１５】
第２負電極コネクタ２２５は第２負コネクタ２２３の接続部２２３１に形成される。
【０１１６】
１以上の第２並列装置２２の第２正電極コネクタ２２４は、１以上の第１並列装置２１の第１負電極コネクタ２１５に電気的に接続されている。
【０１１７】
本実施形態において、１以上の第２並列装置２２の第２正コネクタ２２２の接続部２２２１と１以上の第１並列装置２１の第１負コネクタ２１３の接続部２１３１とが一体的に形成されている。
【０１１８】
１以上の第１並列装置２１と１以上の第２並列装置２２とは電気的に直列に接続でき、１以上の第１並列装置２１と１以上の第２並列装置２２とを流れる各電流の合計長はやはり同じである。このように、電池並列デバイス２０は異なる要求に応じた様々な設計が可能で、電池並列デバイス２０の出力電圧は、１以上の第１並列装置２１と１以上の第２並列装置２２とを直列又は並列に電気的に接続することで変更できる。
【０１１９】
また、電池並列デバイス２０の並列構造を均衡させ、突入電流を減らして電池並列デバイス２０の寿命を延ばすこともできる。
【図１】
2018078782.tif 000003
【図２】
2018078782.tif 000004
【図３】
2018078782.tif 000005
【図４】
2018078782.tif 000006
【図５】
2018078782.tif 000007
【図６】
2018078782.tif 000008
【図７】
2018078782.tif 000009
【図８】
2018078782.tif 000010
【図９】
2018078782.tif 000011
【図１０】
2018078782.tif 000012
【図１１】
2018078782.tif 000013
【図１２】
2018078782.tif 000014
【図１３】
2018078782.tif 000015
【図１４】
2018078782.tif 000016
【図１５】
2018078782.tif 000017